(57)【要約】【課題】筆記体の筆記先端部が軸筒の先端開口部より突出した状態で衣類のポケット等へ挿着した際に、自動的に筆記体の筆記先端部が軸筒の先端開口部に没入する安全機構を有した筆記具を得ることを目的とする。【解決手段】軸筒２内に、被挟持体収容室１６を形成して被挟持体１７を収容する。操作体５を操作することで、筆記体２１の筆記先端部２１ｂを軸筒２の先端開口部２６から突出し、被挟持体１７を筆記体２１の後端部に設けたホルダー部材２２の挟持棒部２４と被挟持体収容室１６を構成する後側壁部材１４とで挟持することで、前記筆記先端部２１ｂの突出状態を維持するようにする。ホルダー部２２の挟持棒部２４に近傍の部分で、前記クリップ２６が位置した軸部３の側面の軸心方向の線状のクリップ２６より前方の部分に、被挟持体１７の一部が突出する大きさの窓孔３０を設ける。【選択図】図１
2010194835.tif 000002
【特許請求の範囲】
【請求項１】
側部にクリップを具設した軸筒の後端部に、操作体を前後に移動可能に配し、操作体の前方の軸筒内に、軸筒内を移動することのないように設けた前側壁部と後側壁部とで区画した被挟持体収容室を形成して被挟持体を収容し、前側壁部の前方の軸筒内に、前後に移動可能にばねにより後方に付勢して筆記体を収容し、該筆記体の後端部に、前側壁部を貫通して被挟持体収容室内に突出し前側壁部に対して前後に移動可能な挟持棒部を有したホルダー部材を連接し、操作体に、該操作体の移動に連動して前後に移動可能に、かつ前側壁部および後側壁部を通過して先端がホルダー部材の後端面に当接または連接したホルダー押棒体を連接または設け、被挟持体収容室を構成する軸筒の内壁側面のホルダー部材の挟持棒部に近傍の部分に、軸筒内外に貫通し、被挟持体の一部が軸筒の外方に突出する大きさの窓孔を設けた構造とし、操作体を操作して該操作体を前進させることでホルダー押棒体が軸筒内を前進してホルダー部材を押圧し、筆記体の筆記先端部を軸筒の先端開口部から突出させ、被挟持体がホルダー部材の挟持棒部と後側壁部とで挟持されることで筆記先端部の突出状態が維持されるとともに、被挟持体の一部が窓孔を介して軸筒の側面より突出することを特徴とする筆記具。
【請求項２】
前記窓孔が、クリップが位置した軸筒の側部の軸心方向の線上のクリップより前方の部分に設けられたことを特徴とする、請求項１に記載の筆記具。
【請求項３】
前記挟持棒部を、ホルダー部材の後端面の軸筒の内壁面側の近傍に偏倚した位置に設けるとともに、少なくとも前側壁部の被挟持体収容室に面する後方端面を、軸筒の先端開口部を下側に向けて軸筒を把持した際に、被挟持体が被挟持体収容室内の挟持棒部を配した位置に移動するように、軸筒の軸径方向において傾斜して設けたことを特徴とする、請求項１または２に記載の筆記具。
【発明の詳細な説明】
【技術分野】
【０００１】
本発明は、筆記体の筆記先端部が軸筒の先端開口部より突出した状態で衣類のポケット等へ挿着した際に、自動的に筆記体の筆記先端部が軸筒の先端開口部に没入する安全機構を有した筆記具に関する。
【背景技術】
【０００２】
従来、筆記体の筆記先端部が軸筒の先端開口部より突出した状態で衣類のポケット等へ挿着されないような安全機構を有した筆記具については、各種構造のものが多数提案されている。安全機構の手段としては、筆記体の筆記先端部が軸筒の先端開口部から突出した状態で衣類のポケット等へ挿着しようとした際に、自動的に筆記先端部が軸筒の先端開口部に没入する構造のタイプや、あるいは筆記体の筆記先端部が軸筒の先端開口部より突出した状態ではクリップの先端が持ち上がらないようにして、衣類のポケット等へ挿着できないような構造のタイプのものがある。比較的前者の方が、構造も簡単で、安全機構を構成する部品点数も多くならずに得られる。
【０００３】
前者の中でも簡単な構造として、軸筒内にばねにより後方に付勢して収容した筆記体の後端に、該筆記体に連接して設けたノック体を設け、該ノック体に、先端に軸筒の表面に向けて突出した係止突起を有したクリップを付設し、軸筒の側面に形成した前記係止突起を係止する係止部を設け、ノック体を前進させて係止突起を係止部に係止することで、筆記体の筆記先端部が軸筒の先端開口部より突出した状態を維持し、クリップの先端を持ち上げることで係止突起が係止部から離脱し、ノック体が後退するとともに、筆記体の筆記先端部が軸筒の先端開口部に没入するという構造のものがある（例えば、実公平６−３０４７８号公報）。
【０００４】
しかし、前記構造では、ノック体に連動してクリップも前進移動するため、筆記時にクリップを上側に向けて把持しないと、親指と人差指のつけ根の部分にクリップが当接し、人によっては違和感を感じるという問題があった。
【先行技術文献】
【特許文献】
【０００５】
【特許文献１】実公平６−３０４７８号公報
【発明の概要】
【発明が解決しようとする課題】
【０００６】
本発明は、前記問題を解消するもので、筆記体の筆記先端部の軸筒の先端開口部からの突出状態をクリップが移動することなく維持し、筆記体の筆記先端部を軸筒の先端開口部より突出した状態で筆記具を衣類のポケット等へ挿着した際に、前記筆記先端部が自動的に軸筒の先端開口部に没入する、新たな安全機構を有した筆記具を得ることを目的とする。
【課題を解決するための手段】
【０００７】
本発明は、
「１．側部にクリップを具設した軸筒の後端部に、操作体を前後に移動可能に配し、操作体の前方の軸筒内に、軸筒内を移動することのないように設けた前側壁部と後側壁部とで区画した被挟持体収容室を形成して被挟持体を収容し、前側壁部の前方の軸筒内に、前後に移動可能にばねにより後方に付勢して筆記体を収容し、該筆記体の後端部に、前側壁部を貫通して被挟持体収容室内に突出し前側壁部に対して前後に移動可能な挟持棒部を有したホルダー部材を連接し、操作体に、該操作体の移動に連動して前後に移動可能に、かつ前側壁部および後側壁部を通過して先端がホルダー部材の後端面に当接または連接したホルダー押棒体を連接または設け、被挟持体収容室を構成する軸筒の内壁側面のホルダー部材の挟持棒部に近傍の部分に、軸筒内外に貫通し、被挟持体の一部が軸筒の外方に突出する大きさの窓孔を設けた構造とし、操作体を操作して該操作体を前進させることでホルダー押棒体が軸筒内を前進してホルダー部材を押圧し、筆記体の筆記先端部を軸筒の先端開口部から突出させ、被挟持体がホルダー部材の挟持棒部と後側壁部とで挟持されることで筆記先端部の突出状態が維持されるとともに、被挟持体の一部が窓孔を介して軸筒の側面より突出することを特徴とする筆記具。
２．前記窓孔が、クリップが位置した軸筒の側部の軸心方向の線上のクリップより前方の部分に設けられたことを特徴とする、前記１項に記載の筆記具。
３．前記挟持棒部を、ホルダー部材の後端面の軸筒の内壁面側の近傍に偏倚した位置に設けるとともに、少なくとも前側壁部の被挟持体収容室に面する後方端面を、軸筒の先端開口部を下側に向けて軸筒を把持した際に、被挟持体が被挟持体収容室内の挟持棒部を配した位置に移動するように、軸筒の軸径方向において傾斜して設けたことを特徴とする、前記１項または２項に記載の筆記具。」
である。
【０００８】
本発明に係る筆記具は、操作体を操作して前進させることで、ホルダー押棒体が軸筒内を前進し、ホルダー押棒体がホルダー部材を押圧し、筆記体の筆記先端部を軸筒の先端開口部から突出させるとともに、ホルダー部材に形成した挟持棒部の先端を被挟持体収容室内から前側壁部内に没入し、被挟持体を被挟持体収容室内の挟持棒部の先端に対向した位置側に移動させて、挟持棒部と被挟持体収容室を構成する後側壁部とで挟持して、前記筆記先端部の突出状態を維持するものである。挟持棒部が被挟持体を挟持するためには、挟持棒部の先端を被挟持体収容室内から前側壁部内に没入した後、再度、挟持棒部を被挟持体収容室内に突出する必要があり、ホルダー部材が後方に移動しなければならない。それには、ホルダー押棒体を後退させる必要があり、ホルダー押棒体を後退させるには操作体を後退させなければならないが、操作体への操作を止めると自動的に操作体が後方に後退するような構造にすれば、操作性が良いものとなる。なお、操作体としては、押圧操作により前後動するノック体や、または回動操作により回動しながら前後動する構造のものがある。
【０００９】
操作体への操作を止めると自動的に操作体が後方に後退するようにするには、操作体にばねを配して直接的に操作体を後方に付勢するか、筆記体を後方へ付勢する付勢力を利用して間接的に操作体を後方に付勢する方法がある。操作体を回動操作で前後動させるには、軸筒の後端部に螺旋状のガイド溝を形成し、該ガイド溝に係合する係合突起部を操作体に設けて、前記係合突起部をガイド溝に係合して操作体を配すれば良いが、操作体への押圧または回動操作を止めると、自動的に操作体が後方に後退するようにするには、前記螺旋状のガイド溝における螺旋ピッチが長い螺旋溝とすることが必要となる。
【００１０】
本発明における前記被挟持体は、形状、大きさ、材質等についての制約はなく、被挟持体収容室内を移動可能な形状であれば、例えば球体、立方体、直方体、円柱体や異形体でも良い。ただし、被挟持体が挟持棒部と後側壁部とで挟持され、かつ筆記先端部が軸筒の先端開口部より突出するような状態で挟持されるような形状や大きさにすることが重要である。好ましい形状は、円球や略球状となる多面体である。ただ重さについては、被挟持体が挟持棒部と後側壁部とで挟持された状態において、その挟持力との関係があるが、少なくとも被挟持体が自重により挟持棒部と後側壁部との挟持から離脱しないような重さとすることが重要である。
【００１１】
前記挟持棒部は、ホルダー部材と一体に形成して設けても良いし、別部材で形成しホルダー部材に固着して設けても良い。挟持棒部の形状や大きさについては特に制約はなく、断面が多角形状または円形状の棒状体であっても良いしパイプ状であっても良いが、重要なのは、挟持棒部が前記被挟持体を後側壁部に押圧することで挟持棒部と後側壁部とで確実に挟持でき、軸筒への衝撃により被挟持体が前記挟持から離脱可能に設ける必要がある。
【００１２】
前記ホルダー押棒体は、形状や大きさについての制約は特にないが、被挟持体収容室に収容された被挟持体の軸径方向への移動の妨げとならないような位置に配置することや大きさとすることが重要である。
【００１３】
前記前側壁部の軸心方向の長さは、操作体への操作により操作体が前進して筆記体の筆記先端部が軸筒の先端開口部から突出した際に、ホルダー部材も筆記体に連動して前進し挟持棒部も連動して移動するので、該挟持棒部の後端が前側壁部より抜け出さない程度の長さが必要である。
【００１４】
前記窓孔の大きさは、被挟持体が挟持棒部と後側壁部とで挟持された際に、被挟持体の一部が窓孔から軸筒の外方に突出可能な大きさとする必要がある。軸筒の壁厚を厚くするとその分、窓孔の大きさを大きくする必要があり、窓孔の大きさについては軸筒の壁厚を考慮しながら適宜設定すれば良い。
【発明の効果】
【００１５】
本発明は前記したような構造なので、軸筒の後端部に配した操作体を操作して、操作体を前進させ被挟持体をホルダー部材の挟持棒部と被挟持体収容室を構成する後側壁部とで挟持することで、筆記体の筆記先端部を軸筒の先端開口部より突出した突出状態を維持するが、その際、被挟持体の一部は軸筒に設けた窓孔から外方に突出しているので、筆記具を衣類のポケット等へ挿着した際に前記窓孔から突出した被挟持体の一部をポケット等の布地が接触して被挟持体を軸筒の内部側に押圧し、被挟持体が前記挟持力から離脱して筆記体の筆記先端部は軸筒の先端開口部に没入するという安全機構を有しているので、ポケット等を筆記体のインキで汚すことが無い。
【００１６】
また、安全機構を有した筆記具として、筆記体の筆記先端部を軸筒の先端開口部より突出した突出状態を維持する際に、クリップが前進移動することがないので、筆記時にクリップ位置を気にすることなく把持でき、クリップが親指と人差指のつけ根の部分に当接することによる筆記時の違和感の問題もおきない。
【００１７】
請求項２に係る発明とすることで、筆記具を衣類のポケット等へ挿着した際には、ポケットの布地等をクリップ軸筒の側面とで挟持することになるので、軸筒に設けた窓孔から外方に突出した被挟持体の一部が確実に前記布地等に当接して軸筒の内部側に押圧されるので、被挟持体は確実に挟持棒部と被挟持体収容室を構成する後側壁部との挟持から離脱し、筆記体の筆記先端部を確実に軸筒の先端開口部に没入させることができるという利点がある。
【００１８】
請求項３に係る発明とすることで、軸筒の先端開口部を下側に向けて、操作体を操作して被挟持体を被挟持体収容室内で挟持棒と後側壁部とで挟持する際に、被挟持体が被挟持体収容室内の挟持棒部を配した位置に重力で自動的に移動するので、容易に被挟持体を挟持棒部と後側壁部とで挟持できるという利点がある。
【図面の簡単な説明】
【００１９】
【図１】本発明の筆記具の第１の実施例を示す、筆記具の縦断面図である。
【図２】図１における筆記具の上側面図である。
【図３】図１における前側壁部材を示し、（ａ）は前側壁部材の拡大正面図であり、（ｂ）は前側壁部材の拡大側面図である。
【図４】図１における後側壁部材を示し、（ａ）は後側壁部材の拡大正面図であり、（ｂ）は後側壁部材の拡大側面図である。
【図５】第１の実施例の筆記具において、操作体を押圧して前進させ、筆記体の筆記先端部を軸筒の先端開口部より突出し、挟持棒部も前進して先端部を前側壁部材内に没入した状態を示す、筆記具の縦断面図である。
【図６】図５において、被挟持体を、被挟持体収容室内の挟持棒部を配した位置に移動した状態を示す、筆記具の縦断面図である。
【図７】図６において、操作体への押圧力を緩めて操作体を後退させ、挟持棒部と被挟持体収容室を構成する後側壁部とで被挟持体を挟持して、筆記体の筆記先端部を軸筒の先端開口部より突出して維持した状態を示す、筆記具の縦断面図である。
【図８】第１の実施例の筆記具において、筆記体の筆記先端部を軸筒の先端開口部より突出して維持した状態でポケット等に挿着した際に、軸筒に設けた窓孔から外方に突出した被挟持体の一部がポケット等の布地等で軸筒の内部側に押圧された状態を示す、筆記具の縦断面図である。
【図９】図８において、被挟持体が挟持棒部と被挟持体収容室を構成する後側壁部との挟持から離脱し、筆記体の筆記先端部が軸筒の先端開口部に没入した状態を示す、筆記具の縦断面図である。
【図１０】本発明の筆記具の第２の実施例を示す、筆記具の縦断面図である。
【図１１】図１０における前側壁部材の拡大斜視図である。
【図１２】図１０における後側壁部材の拡大斜視図である。
【図１３】第２の実施例の筆記具において、操作体を押圧・回動して前進させ、ホルダー押棒体の先端がホルダー部材の後端面に当接した初期の状態を示す、筆記具の縦断面図である。
【図１４】図１３において、操作体をさらに押圧・回動して前進させ、筆記体の筆記先端部を軸筒の先端開口部より突出し、挟持棒部も前進して先端を前側壁部材内に没入した状態を示す、要部を断面した筆記具の縦断面図である。
【図１５】図１４において、被挟持体を、被挟持体収容室の挟持棒部を配した位置に移動させた状態を示す、要部を断面した筆記具の縦断面図である。
【図１６】図１５において、操作体への押圧力を緩めて操作体を後退させ、被挟持体を、挟持棒部と被挟持体収容室を構成する後側壁部とで挟持し、筆記体の筆記先端部を軸筒の先端開口部より突出して維持した状態を示す、筆記具の縦断面図である。
【図１７】本発明の筆記具の第３の実施例を示す、筆記具の縦断面図である。
【図１８】図１７における筆記具の上側面図である。
【図１９】第３の実施例の筆記具において、筆記体の筆記先端部を軸筒の先端開口部より突出して維持した状態でポケット等に挿着した際に、軸筒に設けた窓孔から外方に突出した被挟持体の一部がポケット等の布地等で軸筒の内部側に押圧された状態を示す、筆記具の縦断面図である。
【発明を実施するための最良の形態】
【００２０】
本発明の筆記具は、操作体と筆記体との間に被挟持体を介在することにより、筆記体を被挟持体が挟持された部分の軸心方向の長さ分だけ前進させて、筆記体の筆記先端部を軸筒の先端開口部から突出させ、かつその状態を維持するようにする。筆記先端部が突出した状態で筆記具を衣類のポケット等へ挿着した際には、軸筒に形成した窓孔から外方に突出した被挟持体の一部が、ポケット等の布地等と接触することにより被挟持体が軸筒の内側に押圧され、被挟持体が前記挟持から離脱することで、筆記先端部が軸筒の先端開口部に没入するようにする。
【実施例１】
【００２１】
本発明の筆記具の実施例を図面を用いて説明する。同じ部材同じ箇所を示す場合は、同じ符号を付してある。
図１〜図４に示す第１の実施例の筆記具１は、軸筒２が円筒状の軸部３と先窄み状の口先部４とで構成されている。軸部３の後端部３ａ（図１において右側方向）には、小径な外径の前部５ａと該前部５ａの外径より大径な外径を有する後部５ｂとで構成した操作体５を、後部５ｂの一部を軸部３の後端開口部３ｂより外方に突出させて配してある。
【００２２】
軸部３の後端部３ａの内壁面には、操作体５の前部５ａが遊嵌可能な内方に突出したリング状の内方突出部６を設けてあり、操作体５の前部５ａを遊嵌してある。操作体５の先端（図１において左側方向）には、円筒状の固定部７ａと前方（図１において左側方向）に突出した押棒部７ｂとで構成したホルダー押棒体７を、前記内方突出部６の前方（図１において左側方向）に配置し、操作体５の前部５ａの先端に形成した雄ねじ部８に固定部７ａに形成した雌ねじ部９をねじ嵌合し接着剤により固定して、操作体５に連接して配してある。ホルダー押棒体７は、操作体５に連動して前後に移動可能としてある。操作体５は、ホルダー押棒体７の固定部７ａが内方突出部６に当接することで軸部３の後端開口部３ｂより抜け出さないようにしてある。本実施例においては、軸部３の内方突出部６と操作体５の後部５ｂとの間にばね１０を張架して操作体５を後方に付勢してある。
【００２３】
ホルダー押棒体７の固定部７ａの前方（図１において左側方向）の軸部３の内部には、図３に示すような円筒状の前側壁部材１１を、軸部３内を移動することのないように、軸部３に打ち込んだピン１２を、前側壁部材１１の側部１１ａに設けた貫通孔１３に挿入することで軸部３に固定して設けてある。また、前記前側壁部材１１の後方（図１において右側方向）でホルダー押棒体７の固定部７ａの前方の位置の軸部３の内部には、図４に示すような円筒状の後側壁部材１４を、軸部３内を移動することのないように、前記前側壁部材１１と同様に、軸部３に打ち込んだピン１２を、後側壁部材１４の側部１４ａに設けた貫通孔１５に挿入することで軸部３に固定して設けてある。
【００２４】
前記前側壁部材１１と後側壁部材１４とで区画した被挟持体収容室１６には、球状の被挟持体１７を収容してあり、被挟持体収容室１６を構成する前側壁部材１１の後方端面１１ｂと後側壁部材１４の前方端面１４ｂを、図１において、上側が軸筒２の口先部４側に約５度寄った状態に傾斜させて設けてある。
【００２５】
また、前側壁部材１１と後側壁部材１４の、後方端面１１ｂと前方端面１４ｂが傾いた操作体５側に近い各々の下端部１１ｃ、１４ｃ（図１においては軸部３の下側の内壁側）には、図３または図４に示すように凹溝１８、１９を設けてあり、操作体５に連接したホルダー押棒体７の押棒部７ｂを遊嵌させてある。
【００２６】
前側壁部材１１の前方の軸筒２内には、前後に移動可能にかつばね２０により後方に付勢して筆記体２１が収容してあり、該筆記体２１の後端部２１ａにはホルダー部材２２が、該ホルダー部材２２に設けた嵌合溝２３に筆記体２１の後端部２１ａを嵌合して挿着してある。
【００２７】
前記ホルダー部材２２の後端面２２ａには、後方（図１において右側方向）に向かって突出した挟持棒部２４を、前側壁部材１１に形成した凹溝１８と反対側に位置する上端部（図１において上側の壁面側の端部）の近傍に偏倚した位置に設けてある。前側壁部材１１には、図３に示すように、前記挟持棒部２４に対向した位置で、凹溝１８を形成した下端部１１ｃと反対側の上端部（図２において上側端部）に、貫通した挟持棒部用孔２５を形成してあり、挟持棒部２４は挟持棒部用孔２５を通って被挟持体収容室１６内に突出している。
【００２８】
前側壁部材１１および後側壁部材の下端部１１ｃ、下端部１４ｃと反対側で、ホルダー部材２２の挟持棒部２４に近傍の軸部３の側部（図１において上側の側部）の後端部３ａには、クリップ２６を、先端部２６ａが軸部３の側面に当接し、また側面から離間するように回動可能に、軸部３の側部に形成した固定用突起部２７に枢軸２８を介して設けてある。枢軸２８より後方（図１において右側方向）のクリップ２６の後端部２６ｂには、ばね２９を、一端をクリップ片２６ｃの内側に形成した係止突起部２６ｄに嵌着し他端を軸部３の側面に当接して、クリップ２６の後端部２６ｂと軸部３の後端部３ａの側面との間に張架して、常にクリップ２６の先端部２６ａが軸部３の側面方向に押圧された状態にしてある。
【００２９】
被挟持体収容室１６を構成する軸筒の内壁面のホルダー部材２２の挟持棒部２４に近傍の部分で、クリップ２６が位置した軸部３の側部の軸心方向の線上のクリップ２６より前方の部分に、軸部３の内外に貫通し被挟持体１７が飛び出すことのない大きさの窓孔３０を設けてある。
【００３０】
次に、動作について図５〜図９を用いて説明すると、先ず、操作体５を押圧して前進させると、図５に示すように、操作体５および操作体５に連接したホルダー押棒体７も前進し、ホルダー押棒体７の押棒部７ｂの先端がホルダー部材２２の後端面２２ａに当接してホルダー部材２２を押圧し、ホルダー部材２２も前進する。その結果、ホルダー部材２２の挟持棒部２４の先端は前側壁部材１１に設けた挟持棒部用孔２５内に没入し、筆記体２１の筆記先端部２１ｂは軸筒２の先端開口部３１より突出する。
【００３１】
このときに、口先部４が下側に向くように軸筒２を立てると、図６に示すように（便宜上、軸筒２を水平状態に描いてある。）、前側壁部材１１の後方端面１１ｂと後側壁部材１４の前方端面１４ｂとが傾斜しているので、被挟持体１７は被挟持体収容室１６内を転がってまたは滑って挟持棒部２４を配した位置側に移動する。この時、被挟持体１７の一部は、軸部３に形成した窓孔３０より外方に突出する。
【００３２】
この状態で、操作体５への押圧力を若干緩めると、ばね１０の付勢力により操作体５は若干後退し、筆記体２１とホルダー部材２２も後退し、挟持棒部２４の先端は被挟持体収容室１６内に突出し、被挟持体１７を挟持棒部２４で後側壁部材１４の前方端面１４ｂに押しつけることで、被挟持体１７は挟持棒部２４と後側壁部材１４とで挟持される。操作体５への押圧を止めると、図７に示すように、操作体５はばね１０の付勢力により元の位置に復帰するが、挟持棒部２４は筆記体２１を後方に付勢するばね２０により筆記体２１を介してホルダー部材２２が後方に押圧されているので、被挟持体１７は挟持棒部２４と後側壁部材１４とで挟持され続け、筆記体２１の筆記先端部２１ｂの軸筒２の先端開口部３１からの突出状態は維持される。
【００３３】
前記筆記先端部２１ｂの突出状態で筆記具１を衣類のポケット等へ挿着すると、図８に示すように、クリップ２６と軸筒２の間にポケット等の布地３２等を挟持することで、軸部３に形成した窓孔３０より外方に突出した被挟持体１７を、矢印で示すように軸部３の内部側に押圧することになり、その結果、図９に示すように、被挟持体１７は前記挟持棒部２４と後側壁部材１４との挟持から離脱し、筆記体２１の筆記先端部２１ｂは軸筒２の先端開口部３１に没入する。
【実施例２】
【００３４】
図１０〜図１２に示す第２の実施例の筆記具５１は、第１の実施例の筆記具１と同様に軸筒２を、円筒状の軸部３と先窄み状の口先部４とで構成してある。軸部３の後方（図７において右側方向）の内壁面には、螺旋状のガイド溝５２を形成してある。ガイド溝５２の前方の軸筒２の内部には、第１の実施例の筆記具１と同様な内方に突出したリング状の内方突出部６を設けてあり、前記内方突出部６より後方の軸部３の内部には、内方突出部６の内径より若干小径で挿入可能な外径の前部５３ａと該前部５３ａの外径より大径な後部５３ｂとで構成し、該後部５３ｂにガイド溝５２に係合する係合突起５４を有した操作体５３を、前記係合突起５４をガイド溝５２に係合し、ガイド溝５２沿って回動しながら前後に移動可能に、後部５３ｂの一部を軸部３の後端開口部３ｂより外方に突出させて配してある。
【００３５】
前記内方突出部６には、操作体５３の前部５３ａを遊嵌してあり、操作体５３の先端（図１０において左側方向）には、第１の実施例の筆記具１と同様に、円筒状の固定部７ａと前方（図１０において左側方向）に突出した押棒部７ｂとで構成したホルダー押棒体７を、前記内方突出部６の前方（図１０において左側方向）に配置し、操作体５３の前部５３ａの先端に形成した雄ねじ部５５に固定部７ａに形成した雌ねじ部９をねじ嵌合し接着剤により固定して、操作体５３に連接して配してある。ホルダー押棒体７は、操作体５３に連動して前後に移動可能としてある。操作体５３は、ホルダー押棒体７の固定部７ａが内方突出部６に当接することで軸部３の後端開口部３ｂより抜け出さないようにしてある。本実施例においては、軸部３の内方突出部６と操作体５３の後部５３ｂとの間にばね１０を張架して操作体５３を後方に付勢してあり、操作体５３の係合突起５４がガイド溝５２に沿って後方へ移動し、操作体５３への非操作時は操作体５３が常時ガイド溝５２の後方に位置するように、ガイド溝５２を螺旋ピッチが長くなるような螺旋状に形成してある。
【００３６】
ホルダー押棒体７の固定部７ａの前方（図１０において左側）の軸部３の内部には、第１の実施例の筆記具１と同様に、前側壁部材５６を、軸部３内を移動することのないように、軸部３に打ち込んだピン１２を、前側壁部材５６の側部５６ａに設けた貫通孔５７に挿入することで軸部３に固定して設けてある。前側壁部材５６には、図１１に示すように、下方（図１１において下側）の周面の約半周部分に前側壁部材５６の軸径が小径となる切欠部５８を設け、該切欠部５８に前記押棒部７ｂが遊嵌して回動および前後に移動可能にしてある。また、前記前側壁部材５６の後方（図１０において右側方向）でホルダー押棒体７の固定部７ａより前方の位置の軸部３の内部には、第１の実施例の筆記具１と同様に、後側壁部材５９を、軸部３内を移動することのないように、軸部３に打ち込んだピン１２を、後側壁部材５９の側部５９ａに設けた貫通孔６０に挿入することで軸部３に固定して設けてある。後側壁部材５９には、前側壁部材５６と同様に、図１２に示すように、下方（図１２において下側）の周面の約半周部分に後側壁部材５９の軸径が小径となる切欠部６１を設け、該切欠部６１に前記押棒部７ｂが遊嵌して回動および前後に移動可能にしてある。
【００３７】
第１の実施例の筆記具１と同様に、前記前側壁部材５６と後側壁部材５９とで区画した被挟持体収容室１６には、鉄製の円球状の被挟持体１７を収容してあり、被挟持体収容室１７構成する前側壁部材５６の後方端面５６ｂと後側壁部材５９の前方端面５９ｂを、図１０において、上側が軸筒２の口先部４側に約５度寄った状態に傾斜させて設けてある。
【００３８】
前側壁部材５６の前方の軸筒２内には、第１の実施例の筆記具１と同様に、筆記体２１とホルダー部材２２を配してあり、前記ホルダー部材２２の後端面２２ａには、挟持棒部２４を設けてあり、前側壁部材５６に形成した挟持棒部用孔６２を通って被挟持体収容室１６内に突出している。また、軸部３の後端部３ａの側部３ｃには、第１の実施例の筆記具１と同様に、図２に示すような窓孔３０を設けてある。
【００３９】
第２の実施例の筆記具５１における動作について図１３〜図１６を用いて説明すると、先ず、操作体５３を押圧すると、図１３に示すように、係合突起５４が軸部３に形成したガイド溝５２に沿って前進するので操作体５３は回動しながら前進し、操作体５３に連接したホルダー押棒体７の押棒部７ｂも回動しながら前進する。押棒部７ｂの先端はホルダー部材２２の後端面２２ａに当接してホルダー部材２２を押圧する。ホルダー部材２２に連動して筆記体２１も前進し、筆記先端部２１ｂは軸筒２の先端開口部３１より突出し始める。
【００４０】
さらに操作体５３を押圧すると、操作体５３はさらに回動しながら前進し、ホルダー部材２２もホルダー押棒体７の押棒部７ｂにさらに押圧されて前進する。その結果、図１４に示すように、挟持棒部２４の先端は前側壁部材５６に設けた挟持棒部用孔６２内に没入し、筆記体２１の筆記先端部２１ｂは軸筒２の先端開口部３１よりさらに突出する。
【００４１】
このときに、口先部４が下側に向くように軸筒２を立てると、第１の実施例の筆記具１の場合と同様に、図１５に示すように（便宜上、軸筒２を水平状態に描いてある。）、前側壁部材５６の後方端面５６ｂと後側壁部材５９の前方端面５９ｂとが傾斜しているので、被挟持体１７は被挟持体収容室１６内を転がってまたは滑って挟持棒部２４を配した位置側に移動する。この時、被挟持体１７の一部は、軸部３に形成した窓孔３０より外方に突出する。
【００４２】
この状態で、操作体５３の押圧力を若干緩めて操作体５３を若干後退させると、図１６に示すように、筆記体２１とホルダー部材２２も後退し、挟持棒部２４の先端は被挟持体収容室１６内に突出し、被挟持体１７を挟持棒部２４で後側壁部材５９の前方端面５９ｂに押しつけ、被挟持体１７は挟持棒部２４と後側壁部材５９とで挟持される。操作体５３への押圧を止めると、操作体５３はばね１０の付勢力により回動しながら後退して元の位置に復帰するが、挟持棒部２４は筆記体２１を後方に付勢するばね２０で筆記体２１を介してホルダー部材２２の挟持棒部２４により後方に押圧されているので、被挟持体１７は挟持棒部２４と後側壁部材５９とで挟持され続け、筆記体２１の筆記先端部２１ｂの軸筒２の先端開口部３１からの突出状態は維持される。
【００４３】
前記筆記先端部２１ｂの突出状態で筆記具５１を衣類のポケット等へ挿着すると、図示していないが、第１の実施例の筆記具１の場合と同様に、被挟持体１７は前記挟持棒部２４と後側壁部材１４との挟持から離脱し、筆記体２１の筆記先端部２１ｂは軸筒２の先端開口部３１に没入する。
【実施例３】
【００４４】
図１７〜図１８に示す第３の実施例の筆記具１０１は、クリップ２６を、前側壁部材１１および後側部材の下端部１１ｃ、下端部１４ｃで、ホルダー部材２２の挟持棒部２４が位置する近傍の軸部３の内壁面と反対側の側部（図１７において下側の側部）の後端部３ａに設けた以外は、第１の実施例の筆記具１と同様な構造としてある。図１８に示すように、窓孔３０はクリップ２６を設けた側の軸部３の側部と反対側の側部に設けてある。
【００４５】
筆記体２１の筆記先端部２１ｂを軸筒２の先端開口部３１から突出して、その状態を維持するための動作は、第１の実施例の筆記具１と全く同じ動作であるが、筆記先端部２１ｂの突出状態で筆記具３１１を衣類のポケット等へ挿着すると、図１９に示すように、ポケットを構成するクリップ２６と軸筒２の間で挟持された布地３２と反対側の布地３３が、軸部３に形成した窓孔３１より外方に突出した被挟持体１７に接触することで、被挟持体１７が矢印で示すように軸部３の内部側に押圧され、その結果、図示していないが、被挟持体１７は前記挟持棒部２４と後側壁部材１４との挟持から離脱し、筆記体２１の筆記先端部２１ｂは軸筒２の先端開口部３１に没入するというものである。
【００４６】
第１〜第３の実施例では、被挟持体１７を円球の形状としたが、立方体や直方体や円柱体であっても良い。
【産業上の利用可能性】
【００４７】
本発明は、筆記体の筆記先端部が軸筒の先端開口部より突出した状態で衣類のポケット等へ挿着した際に、自動的に筆記体の筆記先端部が軸筒の先端開口部に没入する安全機構を有した筆記具として利用するものである。また、本発明の筆記具は、被挟持体を挟持して介在することにより、筆記体の筆記先端部を軸筒の先端開口部より突出した突出状態を維持するので、被挟持体の重さや被挟持体を挟持する挟持力等を調整することによって、筆記具への衝撃や、机上等に載置した際に、軸筒に形成した窓孔から突出した被挟持体の一部が机の表面と当接することで被挟持体が前記挟持から離脱し、筆記先端部が軸筒の先端開口部に自動的に没入する、自動復帰機構を有した筆記具として利用することもできる。
【符号の説明】
【００４８】
１、５１、１０１  筆記具
２  軸筒
５、５３  操作体
７  ホルダー押棒体
１０  ばね
１１、５６  前側壁部材
１４、５９  後側壁部材
１６  被挟持体収容室
１７  被挟持体
２０  ばね
２１  筆記体
２２  ホルダー部材
２４  挟持棒部
２６  クリップ
３０  窓孔
３１  先端開口部
【図１】
2010194835.tif 000003
【図２】
2010194835.tif 000004
【図３】
2010194835.tif 000005
【図４】
2010194835.tif 000006
【図５】
2010194835.tif 000007
【図６】
2010194835.tif 000008
【図７】
2010194835.tif 000009
【図８】
2010194835.tif 000010
【図９】
2010194835.tif 000011
【図１０】
2010194835.tif 000012
【図１１】
2010194835.tif 000013
【図１２】
2010194835.tif 000014
【図１３】
2010194835.tif 000015
【図１４】
2010194835.tif 000016
【図１５】
2010194835.tif 000017
【図１６】
2010194835.tif 000018
【図１７】
2010194835.tif 000019
【図１８】
2010194835.tif 000020
【図１９】
2010194835.tif 000021